(57)【特許請求の範囲】
【請求項１】
薬剤タンク（１）とブロワーケース（２）との間にシャッター収納部（２５）を形成し、該シャッター収納部（２５）に回動シャッター部（４７）とダンパーシャッター部（４８）からなる複合シャッター装置（４６）を設けた散布機において、
該回動シャッター部（４７）は、小開口部を一部に有する小開口部シャッター上板（１５ａ）と、該小開口部シャッター上板（１５ａ）の下面に当接されて回動量により散布量を調節する回動シャッター（４９）とから構成し、該ダンパーシャッター部（４８）は、大開口部を一部に有する大開口部シャッター上板（１５ｂ）と、該大開口部シャッター上板（１５ｂ）の下面に水平に軸支されて、開度により散布量を調節するダンパーシャッター（５２）とから構成し、前記ダンパーシャッター部（４８）の開口時に、ダンパーシャッター（５２）と、該ダンパーシャッター（５２）上のシャッター上板（１５）との間に、空気流の発生が可能なスリット（６３）を形成したことを特徴とする散布機。
【発明の詳細な説明】
【０００１】
【発明の属する技術分野】
本発明は、少量散布時の散布量の設定精度を向上させた背負式動力散布機において、安定した散布が可能なシャッター構造に関する。
【０００２】
【従来の技術】
従来の背負式動力散布機において、薬剤タンクからブロワーケース内へ落下させる薬剤量の調節は、薬剤タンクとブロワーケースの間に設けた円板状のスライドシャッターを回動し、開口重複部の面積を変更することにより行われてきた。しかし、少量散布の場合には、前記開口重複部の隙間を狭くする必要から、大粒や微粉の薬剤等では目詰まりや付着などの不具合を起こしやすく、少量散布から肥料・粉剤などの多量散布まで対応可能な散布機が望まれている。そこで、各散布量に適したタイプのシャッターを複数適正配置することにより、少量散布から多量散布まで高精度の散布が可能な複合シャッター装置に関する技術を本発明者らは提案している。
【０００３】
【発明が解決しようとする課題】
しかしながら、前記複合シャッター装置のシャッターの一つにダンパーシャッターを採用し、該ダンパーシャッターを使って薬剤等を散布する時、薬剤等が新しい場合には流動性が良好なためダンパーシャッター上に堆積する恐れはないが、薬剤の保存状態が悪い場合や保存期間が長い場合、あるいは、湿気や不純物を含む場合には、ダンパーシャッター上面へ薬剤が付着して堆積が進み、目詰まりを起こして薬剤が落下・供給できなくなる、という問題があった。本発明は、前記の点に鑑み、少量散布から多量散布まで、高精度で、しかも安定した散布が可能な散布機を提供することを目的とする。
【０００４】
【課題を解決するための手段】
本発明の解決しようとする課題は以上の如くであり、次に該課題を解決するための手段を説明する。
請求項１においては、薬剤タンク（１）とブロワーケース（２）との間にシャッター収納部（２５）を形成し、該シャッター収納部（２５）に回動シャッター部（４７）とダンパーシャッター部（４８）からなる複合シャッター装置（４６）を設けた散布機において、該回動シャッター部（４７）は、小開口部を一部に有する小開口部シャッター上板（１５ａ）と、該小開口部シャッター上板（１５ａ）の下面に当接されて回動量により散布量を調節する回動シャッター（４９）とから構成し、該ダンパーシャッター部（４８）は、大開口部を一部に有する大開口部シャッター上板（１５ｂ）と、該大開口部シャッター上板（１５ｂ）の下面に水平に軸支されて開度により散布量を調節するダンパーシャッター（５２）とから構成し、前記ダンパーシャッター部（４８）の開口時に、ダンパーシャッター（５２）と、該ダンパーシャッター（５２）上のシャッター上板（１５）との間に空気流の発生が可能なスリット（６３）を形成したものである。
【０００５】
【発明の実施の形態】
次に本発明の実施の形態を説明する。
【０００６】
図１は背負式動力散布機の正面図、図２は同じく側面一部断面図、図３はシャッター部分の側面断面図、図４はダンパーシャッターが「閉」状態における複合シャッター装置の側面断面図、図５はダンパーシャッターが「開」状態における複合シャッター装置の側面断面図、図６はダンパーシャッターが「閉」状態における複合シャッター装置の上面からの斜視図、図７は同じく下面からの平面図である。
【０００７】
まず、本発明に係わる散布機の全体構成を、図１、図２、図３により説明する。上部には薬剤タンク１が、その下部にはブロワーケース２を配置し、これら薬剤タンク１及びブロワーケース２は、樹脂をブロー成形することによって一体的に構成されている。
【０００８】
ブロワーケース２の前面にはエンジン２６が、また該ブロワーケース２内には図示せぬ送風ファンが配置され、エンジン２６の出力軸上に送風ファンが固設されている。この薬剤タンク１やブロワーケース２やエンジン２６等は、側面視Ｌ形状に形成した背負枠３上に載置されている。７は燃料タンク、８はエアクリーナーである。尚、燃料タンク７はエンジン２６よりも下方に位置させてある為に燃料を上方のエンジン２６まで強制的に送り出すために、燃料タンク７上部にパルスポンプ９を設けている。
【０００９】
そして、前記ブロワーケース２と薬剤タンク１の間にはシャッター収納部２５が形成されており、薬剤タンク１の下部も兼ねている収納ケース１０内には、回動シャッター部４７とダンパーシャッター部４８等を収納し、ブロワーケース２の一端（図１右側）に設けた噴出口には噴管５の一端が連結されている。また、ブロワーケース２側部にはレバーガイド４を設けて、アクセルレバー及び薬剤の調量レバー３３が後方へ突出されて、レバーガイド４により回動がガイドされるようにしている。
【００１０】
従って、圃場内では、背負式動力散布機を背負いつつ、エンジン２６の駆動によりブロワーケース２内の送風ファンを駆動させ、該送風の大小の調節をアクセルレバーで行い、これにより発生した送風力を用いて、調量レバー３３の操作により散布量を調整し、薬剤を薬剤タンク１内から噴管５を通じて散布することが出来るのである。
【００１１】
ここで、このような全体構成から成る散布機におけるシャッター収納部２５について、図３により説明する。前記薬剤タンク１とブロワーケース２の間の収納ケース１０内の内面部にシャッター上板１５と一体となったシャッター枠１１を設け、該シャッター枠１１上に本発明の回動シャッター部４７とダンパーシャッター部４８を対向させた複合シャッター装置４６を形成する。前記シャッター上板１５の上には安定具１７を固定し、該安定具１７上には締結金具１９を載置し、該締結金具１９の両側は収納ケース１０上部内面で図示せぬ部分に係止し、この締結金具１９の円周上に螺装した締結ネジ２１を締め込むことにより前記安定具１７を下方へ押し付けて、複合シャッター装置４６がガタつかないように固定しているのである。
【００１２】
次に、前記複合シャッター装置４６について、図４乃至図７により説明する。複合シャッター装置４６の上面を被覆する前記シャッター上板１５は、平面視で各シャッターの回動軸間の略中央にあたる直径部分が最も低くなるように傾斜されており、該直径部分を境にし、一方に小開口部シャッター上板１５ａを有する回動シャッター部４７、他方に大開口部シャッター上板１５ｂを有するダンパーシャッター部４８が配置されている。
【００１３】
このうち前記回動シャッター部４７については、小開口部シャッター上板１５ａの下半分に、回動シャッター回動軸５１を中心軸とした円柱の側面形状を呈する曲面部１５ｅから形成され、該曲面部１５ｅの最も低い位置から上方に向かって長方形の小開口部５７が開口されている。該小開口部５７周囲からはガイド枠１５ｃが垂下され、該ガイド枠１５ｃの両側板によって前記回動シャッター回動軸５１が軸支されている。この回動シャッター回動軸５１上には両側にガイド側板５０を設けたバネ支持板６０がボルト６１により固定され、該バネ支持板６０上には、先端に、回動シャッター４９を付けたバネ５９が支持固定されており、小開口部５７下面に当接した、回動シャッター４９を常に付勢した状態で回動させることができ、小開口部シャッター上板１５ａと、回動シャッター４９との間には、隙間が生じない構成としている。従って、回動シャッター部４７で少量散布する場合には、小開口部５７の隙間から薬剤がこぼれ落ちることがなく、精度良く散布量を制御することができるのである。
【００１４】
ダンパーシャッター部４８において、大開口部シャッター上板１５ｂの最も低い部分から上方に向かって、平面視で幅広の長方形状の大開口部５８が開口され、該大開口部５８周囲からはガイド枠１５ｄが垂下され、該ガイド枠１５ｄの両側板にはダンパーシャッター回動軸５３が軸支され、さらに、該ダンパーシャッター回動軸５３にはダンパーシャッター５２が上下に回動可能に軸支されている。
【００１５】
該ダンパーシャッター５２は、ダンパーシャッター回動軸５３の周囲において、上方にかけて肉厚の大径部５２ｂを有し、それ以外は肉薄の小径部５２を構成している。前記大径部５２ｂからは、複合シャッター装置４６の中央方向に向かってシャッター板５２ｃが延設され、該シャッター板５２ｃの先端には、側面視でＬ字型の当接部５２ｄが設けられており、「閉」状態においては、前記小開口部５７下部のストッパー６４下面に当接可能としている。また、ダンパーシャッター５２の上方で、前記大開口部シャッター上板１５ｂの下端には当接部１５ｆを設け、該当接部１５ｆは、その下面にダンパーシャッター回動軸５３と平行に通気用凹部１５ｇを設けると共に、前記通気用凹部１５ｇと大径部５２ｂとが接当可能な構成となっている。
【００１６】
従って、図４に示すように、「閉」状態の時には、大開口部シャッター上板１５ｂ下部の当接部１５ｆは、前記大径部５２ｂにより完全に閉塞されているが、ダンパーシャッター５２がダンパーシャッター回動軸５３を支点として回動して一旦「開」状態になると、図５に示すように、前記小径部５２ａと当接部１５ｆとの間に、比較的大きな隙間を形成し、前記大径部５２ｂと前記通気用凹部１５ｇのと間にも、同等の大きさの隙間を形成する。このようにして形成されたスリット６３により、従来の散布機においては、いつもダンパーシャッター５２の下方のみを流れていた空気流６２が、ダンパーシャッター５２の下方を流れるシャッター下空気流６２ｂと、上方を流れるシャッター上空気流６２ａの二つの空気流に分断され、そのうちのシャッター上空気流６２ａの圧力によって、ダンパーシャッター５２上面の薬剤は常に押し出し・排除がなされ、薬剤の堆積による目詰りが防止されるのである。
【００１７】
なお、本実施例におけるダンパーシャッター５２と大開口部シャッター上板１５ｂの形状や位置関係は一例にすぎず、ダンパーシャッター部４８を「開」状態にした時に、ダンパーシャッター５２上に空気が流れるスリット６３が形成されるものであれば特に限定されない。
【００１８】
【発明の効果】
本発明は以上の如く構成したので、次のような効果を奏するのである。
請求項１の如く、薬剤タンク（１）とブロワーケース（２）との間にシャッター収納部（２５）を形成し、該シャッター収納部（２５）に回動シャッター部（４７）とダンパーシャッター部（４８）からなる複合シャッター装置（４６）を設けた散布機において、該回動シャッター部（４７）は、小開口部を一部に有する小開口部シャッター上板（１５ａ）と、該小開口部シャッター上板（１５ａ）の下面に当接されて回動量により散布量を調節する回動シャッター（４９）とから構成し、該ダンパーシャッター部（４８）は、大開口部を一部に有する大開口部シャッター上板（１５ｂ）と、該大開口部シャッター上板（１５ｂ）の下面に水平に軸支されて開度により散布量を調節するダンパーシャッター（５２）とから構成し、前記ダンパーシャッター部（４８）の開口時に、ダンパーシャッター（５２）と、該ダンパーシャッター（５２）上のシャッター上板（１５）との間に空気流の発生が可能なスリット（６３）を形成したので、少量散布時に、回動シャッター部を使用する場合、設定散布量に対するばらつきが極めて小さくなり、より高精度の散布を実施することができる。
また、多量散布時にダンパーシャッター部を使用する場合には、十分に大きな開度が得られ、しかも、スリット（６３）に発生する空気流の効果により目詰まりのない安定した散布も可能となるのである。
【図面の簡単な説明】
【図１】  背負式動力散布機の正面図である。
【図２】  同じく側面一部断面図である。
【図３】  シャッター部分の側面断面図である。
【図４】  ダンパーシャッターが「閉」状態における複合シャッター装置の側面断面図である。
【図５】  ダンパーシャッターが「開」状態における複合シャッター装置の側面断面図である。
【図６】  ダンパーシャッターが「閉」状態における複合シャッター装置の上面からの斜視図である。
【図７】  同じく下面からの平面図である。
【符号の説明】
１  薬剤タンク
２  ブロワーケース
１５  シャッター上板
１５ａ  小開口部シャッター上板
１５ｂ  大開口部シャッター上板
２５  シャッター収納部
４６  複合シャッター装置
４７  回動シャッター部
４８  ダンパーシャッター部
４９  回動シャッター
５２  ダンパーシャッター
６３  スリット
【図１】
0003911350.tif 000002
【図２】
0003911350.tif 000003
【図３】
0003911350.tif 000004
【図４】
0003911350.tif 000005
【図５】
0003911350.tif 000006
【図６】
0003911350.tif 000007
【図７】
0003911350.tif 000008